(57)【要約】【課題】発光装置の発光面の反対側へ漏れる光の量を抑える。【解決手段】発光装置１０は、複数の発光部１５２、複数の透光部１５４及び複数の絶縁層１４０を備えている。複数の発光部１５２は、基板１００の第１面１０２側に位置している。各発光部１５２は、基板１００の第１面１０２側から第１電極１１０、有機層１２０及び第２電極１３０を順に含む積層構造を有している。各透光部１５４は、隣り合う発光部１５２の間に位置している。言い換えると、複数の発光部１５２及び複数の透光部１５４は、交互に並んでいる。複数の絶縁層１４０のそれぞれは、複数の発光部１５２のそれぞれを画定している。各絶縁層１４０は、遮光性を有している。【選択図】図４
2018160320.tif 000002
【特許請求の範囲】
【請求項１】
基板の第１面側に位置し、前記第１面から第１電極、有機層及び第２電極を順に含む積層構造をそれぞれ有する複数の発光部と、
隣り合う発光部の間にそれぞれ位置する複数の透光部と、
前記複数の発光部のそれぞれを画定する遮光性の複数の絶縁層と、
を備える発光装置。
【請求項２】
請求項１に記載の発光装置において、
各絶縁層の外側端部は、各第２電極の外側端部よりも、各発光部から離れている発光装置。
【請求項３】
請求項１又は２に記載の発光装置において、
各発光部の端部から各絶縁層の外側端部までの各絶縁層の幅は、各発光部の幅の２５％以上である発光装置。
【請求項４】
請求項１から３までのいずれか一項に記載の発光装置において、
各透光部の幅は、隣り合う発光部の中心間距離の３０％以上である発光装置。
【請求項５】
請求項１から４までのいずれか一項に記載の発光装置において、
各発光部の端部から各絶縁層の外側端部までの各絶縁層の幅は、各発光部の幅の５０％以上である発光装置。
【請求項６】
請求項１から５までのいずれか一項に記載の発光装置において、
各発光部の端部から各絶縁層の外側端部までの各絶縁層の幅は、各発光部の端部から各第２電極の外側端部までの各第２電極の幅の４倍以上である発光装置。
【請求項７】
請求項１から６までのいずれか一項に記載の発光装置において、
前記基板は、前記第１面の反対側の第２面を有し、
前記第２面側における前記発光装置の輝度分布は、前記第２面に垂直な方向において第１輝度を有し、
前記第１面側における前記発光装置の輝度分布の輝度は、前記第１面に垂直な方向から５°以下の範囲において前記第１輝度の１％以下となっている発光装置。
【請求項８】
請求項１から７までのいずれか一項に記載の発光装置において、
前記絶縁層は、ブラックマトリクスである発光装置。
【請求項９】
請求項７に記載の発光装置において、
前記発光装置は、移動体のハイマウントストップランプに用いられる発光装置。
【発明の詳細な説明】
【技術分野】
【０００１】
本発明は、発光装置に関する。
【背景技術】
【０００２】
近年、透光性を有する有機発光ダイオード（ＯＬＥＤ）が開発されている。特許文献１には、透光性ＯＬＥＤの一例について記載されている。このＯＬＥＤは、基板、第１電極、有機層及び複数の第２電極を備えている。第１電極及び有機層は、基板上で順に積層されている。複数の第２電極は、有機層上でストライプ状に配置されている。ＯＬＥＤの外部からの光は、隣り合う第２電極の間を透過することができる。したがって、ＯＬＥＤは、透光性を有している。
【先行技術文献】
【特許文献】
【０００３】
【特許文献１】特開２０１３−１４９３７６号公報
【発明の概要】
【発明が解決しようとする課題】
【０００４】
上述したように、近年、透光性を有するＯＬＥＤが開発されている。このようなＯＬＥＤは、互いに反対側を向いた２つの面を有しており、ＯＬＥＤの発光部から出力された光は、これら２つの面のうちの一方の面（発光面）から主に出力されるようになっている。しかしながら、本発明者は、発光部から出力された光の一部が発光面の反対側へ漏れる場合があることを見出した。
【０００５】
本発明が解決しようとする課題としては、発光装置の発光面の反対側へ漏れる光の量を抑えることが一例として挙げられる。
【課題を解決するための手段】
【０００６】
請求項１に記載の発明は、
基板の第１面側に位置し、前記第１面から第１電極、有機層及び第２電極を順に含む積層構造をそれぞれ有する複数の発光部と、
隣り合う発光部の間にそれぞれ位置する複数の透光部と、
前記複数の発光部のそれぞれを画定する遮光性の複数の絶縁層と、
を備える発光装置である。
【図面の簡単な説明】
【０００７】
【図１】実施形態に係る発光装置を示す平面図である。
【図２】図１から第２電極を取り除いた図である。
【図３】図２から絶縁層を取り除いた図である。
【図４】図１のＡ−Ａ断面図である。
【図５】実施形態のシミュレーションに係る発光装置を示す断面図である。
【図６】図７から図１６に示す角度φ及び輝度比Ｒを説明するための図である。
【図７】実施形態に係る発光装置のシミュレーション結果を示す図である。
【図８】実施形態に係る発光装置のシミュレーション結果を示す図である。
【図９】実施形態に係る発光装置のシミュレーション結果を示す図である。
【図１０】実施形態に係る発光装置のシミュレーション結果を示す図である。
【図１１】実施形態に係る発光装置のシミュレーション結果を示す図である。
【図１２】実施形態に係る発光装置のシミュレーション結果を示す図である。
【図１３】実施形態に係る発光装置のシミュレーション結果を示す図である。
【図１４】実施形態に係る発光装置のシミュレーション結果を示す図である。
【図１５】実施形態に係る発光装置のシミュレーション結果を示す図である。
【図１６】実施形態に係る発光装置のシミュレーション結果を示す図である。
【図１７】図７から図１６に示したフェーズ１を説明するための図である。
【図１８】図１０から図１６に示したフェーズ２を説明するための図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
図１は、実施形態に係る発光装置１０を示す平面図である。図２は、図１から第２電極１３０を取り除いた図である。図３は、図２から絶縁層１４０を取り除いた図である。図４は、図１のＡ−Ａ断面図である。図１から図４において、Ｘ方向は、複数の発光部１５２の配列方向として規定されており、Ｙ方向は、Ｘ方向に交わる方向、より具体的にはＹ方向に直交する方向として規定されている。図１から図３では、説明のため、有機層１２０（図４）を示していない。
【００１０】
図４を用いて、発光装置１０の概要について説明する。発光装置１０は、複数の発光部１５２、複数の透光部１５４及び複数の絶縁層１４０を備えている。複数の発光部１５２は、基板１００の第１面１０２側に位置している。各発光部１５２は、基板１００の第１面１０２側から第１電極１１０、有機層１２０及び第２電極１３０を順に含む積層構造を有している。各透光部１５４は、隣り合う発光部１５２の間に位置している。言い換えると、複数の発光部１５２及び複数の透光部１５４は、交互に並んでいる。複数の絶縁層１４０のそれぞれは、複数の発光部１５２のそれぞれを画定している。各絶縁層１４０は、遮光性を有している。
【００１１】
上述した構成によれば、発光装置１０の発光面（後述するように、基板１００の第２面１０４）の反対側へ漏れる光の量を抑えることができる。具体的には、上述した構成においては、各絶縁層１４０は、遮光性を有している。一方、発光部１５２から発せられた一部の光は、基板１００を透過し、基板１００の第１面１０２でフレネル反射によって反射される。上述した構成によれば、このような光を絶縁層１４０によって遮ることができる。したがって、発光装置１０の発光面（基板１００の第２面１０４）の反対側へ漏れる光の量を抑えることができる。
【００１２】
次に、図１から図３を用いて、発光装置１０の平面レイアウトの詳細について説明する。発光装置１０は、基板１００、複数の第１電極１１０、複数の第１接続部１１２、第１配線１１４、複数の第２電極１３０、複数の第２接続部１３２、第２配線１３４、複数の絶縁層１４０及び発光領域１５０を備えている。
【００１３】
図１から図３に示す例において、基板１００の形状は、Ｘ方向に沿った長辺及びＹ方向に沿った短辺を有する矩形である。ただし、基板１００の形状は、図１から図３に示す例に限定されるものではない。
【００１４】
複数の第１電極１１０は、互いに離間して位置しており、具体的には、Ｘ方向に沿って一列に並んでいる。複数の第１電極１１０のそれぞれは、Ｙ方向に延伸している。
【００１５】
複数の第１電極１１０のそれぞれは、複数の第１接続部１１２のそれぞれを介して、第１配線１１４に接続している。第１配線１１４は、Ｘ方向に延伸している。外部からの電圧は、第１配線１１４及び第１接続部１１２を介して第１電極１１０に供給される。なお、図３に示す例において、第１電極１１０及び第１接続部１１２は、互いに一体となっている。
【００１６】
複数の第２電極１３０のそれぞれは、複数の第１電極１１０のそれぞれに重なっている。複数の第２電極１３０は、互いに離間して位置しており、具体的には、Ｘ方向に沿って一列に並んでいる。複数の第２電極１３０のそれぞれは、Ｙ方向に延伸している。
【００１７】
複数の第２電極１３０のそれぞれは、複数の第２接続部１３２のそれぞれを介して、第２配線１３４に接続している。第２配線１３４は、Ｘ方向に延伸している。外部からの電圧は、第２配線１３４及び第２接続部１３２を介して第２電極１３０に供給される。
【００１８】
複数の絶縁層１４０のそれぞれは、複数の第１電極１１０のそれぞれに重なっている。複数の絶縁層１４０は、互いに離間して位置しており、具体的には、Ｘ方向に沿って一列に並んでいる。複数の絶縁層１４０のそれぞれは、Ｙ方向に延伸している。
【００１９】
発光領域１５０は、Ｘ方向に沿って交互に並んだ複数の発光部１５２及び複数の透光部１５４を含んでいる。各発光部１５２は、絶縁層１４０の開口１４２によって画定されている。図４を用いて後述するように、開口１４２内において、第１電極１１０、有機層１２０及び第２電極１３０は、基板１００の第１面１０２から順に積層されている。特に図１から図３に示す例において、発光部１５２は、Ｙ方向に長手方向を有している。透光部１５４は、遮光部材と重なっておらず、特に図１から図３に示す例では、第２電極１３０及び絶縁層１４０と重なっていない。
【００２０】
次に、図４を用いて、発光装置１０の断面構造の詳細について説明する。発光装置１０は、基板１００、第１電極１１０、有機層１２０、第２電極１３０及び絶縁層１４０を備えている。
【００２１】
基板１００は、第１面１０２及び第２面１０４を有している。第１電極１１０、有機層１２０、第２電極１３０及び絶縁層１４０は、基板１００の第１面１０２側に位置している。第２面１０４は、第１面１０２の反対側にある。発光装置１０（有機層１２０）から発せられる光は、主に、基板１００の第２面１０４から発せられる。したがって、基板１００の第２面１０４は、発光装置１０の発光面として機能している。
【００２２】
基板１００は、透光性を有している。一例において、基板１００は、ガラス又は樹脂を含んでいる。
【００２３】
第１電極１１０は、透光性及び導電性を有している。一例において、第１電極１１０は、酸化物半導体、より具体的には、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）を含んでいる。したがって、有機層１２０から発せられた光は、第１電極１１０を透過する。
【００２４】
有機層１２０は、有機エレクトロルミネッセンス（ＥＬ）により光を発することができる。一例において、有機層１２０は、正孔注入層（ＨＩＬ）、正孔輸送層（ＨＴＬ）、発光層（ＥＭＬ）、電子輸送層（ＥＴＬ）及び電子注入層（ＥＩＬ）を含んでいる。この例においては、第１電極１１０からＨＩＬ及びＨＴＬを経由して正孔がＥＭＬに注入され、第２電極１３０からＥＩＬ及びＥＴＬを経由して電子がＥＭＬに注入され、正孔及び電子がＥＭＬで再結合して光を発する。
【００２５】
なお、図４に示す例では、有機層１２０は、複数の発光部１５２に亘って広がっている。言い換えると、複数の発光部１５２は、有機層１２０を共有している。ただし、他の例においては、互いに離間した複数の有機層１２０のそれぞれが複数の発光部１５２のそれぞれを構成していてもよい。
【００２６】
第２電極１３０は、遮光性、より具体的には光反射性を有しており、さらに、導電性を有している。一例において、第２電極１３０は、金属、より具体的には、Ａｌ、Ａｇ及びＭｇＡｇの少なくとも１つを含んでいる。したがって、有機層１２０から発せられた光は、第２電極１３０で反射される。
【００２７】
絶縁層１４０は、発光部１５２を画定している。具体的には、絶縁層１４０は、開口１４２を有している。絶縁層１４０の開口１４２内において、発光部１５２は、基板１００の第１面１０２から第１電極１１０、有機層１２０及び第２電極１３０を順に含む積層構造を有している。
【００２８】
絶縁層１４０は、遮光性、より具体的には吸光性を有している。したがって、絶縁層１４０は、ブラックマトリクスとして機能することができる。一例において、絶縁層１４０は、有機絶縁材料（例えば、ポリイミド）からなっており、さらに、黒色顔料（例えば、カーボンブラック）又は黒色染料を含んでいる。
【００２９】
発光装置１０は、透光性を有している。具体的には、人間の視覚では、発光装置１０を隔てて基板１００の第２面１０４側から基板１００の第１面１０２側が透けて見えるとともに、発光装置１０を隔てて基板１００の第１面１０２側から基板１００の第２面１０４側が透けて見える。これは、発光装置１０が複数の透光部１５４を有しているためである。すなわち、発光装置１０の外部からの光は、透光部１５４を透過することができる。したがって、発光装置１０は、透光性を有している。
【００３０】
複数の発光部１５２は、Ｘ方向に沿ってピッチＰで並んでいる。言い換えると、隣り合う発光部１５２の中心間距離は、ピッチＰとなっている。
【００３１】
発光装置１０の透光性を高くする観点からすると、透光部１５４の幅ＷＴは、ある程度広いことが好ましく、一例において、複数の発光部１５２のピッチＰ（つまり、隣り合う発光部１５２の中心間距離）の３０％以上とすることができる。
【００３２】
次に、図５から図１８を用いて、図１から図４に示した発光装置１０のシミュレーションについて説明する。
【００３３】
図５は、本実施形態のシミュレーションに係る発光装置１０を示す断面図である。本実施形態では、以下の条件で発光装置１０のシミュレーションを行った。
【００３４】
基板１００は、ガラス基板（屈折率：１．５２）とした。基板１００の形状は、Ｘ方向沿った９０ｍｍの辺及びＹ方向に沿った６０ｍｍの辺を有する矩形とした。基板１００の第２面１０４は、空気（屈折率：１）に接するようにした。基板１００の厚さｔは、後述する図７、図８、図９、図１０、図１１、図１２、図１３、図１４、図１５及び図１６において、それぞれ、０．１ｍｍ、０．２ｍｍ、０．３ｍｍ、０．４ｍｍ、０．５ｍｍ、０．６ｍｍ、０．７ｍｍ、０．８ｍｍ、０．９ｍｍ及び１．０ｍｍとした。
【００３５】
各発光部１５２の幅は、２００μｍとした。隣り合う発光部１５２の中心間距離（言い換えると、複数の発光部１５２のピッチ）Ｐは、０．７１４ｍｍとした。各第２電極１３０の幅は、２５０μｍとした。したがって、各発光部１５２の端部から各第２電極１３０の外側端部までの各第２電極１３０の幅Ｇは、２５μｍとなっている。
【００３６】
各第１電極１１０の厚さ、各有機層１２０の厚さ及び各第２電極１３０の厚さは、ゼロとみなした。なお、図５では、説明のため、有機層１２０及び第２電極１３０を図示している。
【００３７】
各絶縁層１４０は、各発光部１５２の周囲の遮光体とみなした。各発光部１５２の端部から各絶縁層１４０の外側端部までの各絶縁層１４０の幅ＷＳは、後述する図７から図１６までの各図において、２５μｍ、５０μｍ、７５μｍ、１００μｍ及びゼロとした。幅ＷＳがゼロであるということは、絶縁層１４０が設けられていないことを意味する。
【００３８】
図６は、図７から図１６に示す角度φ及び輝度比Ｒを説明するための図である。
【００３９】
基板１００の第２面１０４（発光装置１０の発光面）側における輝度分布は、第２面１０４に垂直な方向において第１輝度Ｌ１を有している。基板１００の第１面１０２（発光装置１０の発光面とは反対側の面）側における輝度分布は、第１面１０２に垂直な方向からＸ方向に沿って角度φ傾いた方向において第２輝度Ｌ２を有している。
【００４０】
輝度比Ｒは、以下の式（１）によって定義される。
Ｒ＝Ｌ２／Ｌ１×１００      （１）
【００４１】
図７から図１６の各図は、本実施形態に係る発光装置１０のシミュレーション結果を示す図である。
【００４２】
図７（ａ）から図１６（ａ）では、輝度比Ｒ（０．１２５）、Ｒ（０．２５０）、Ｒ（０．３７５）、Ｒ（０．５００）及びＲ（０）を算出している。輝度比Ｒ（０．１２５）、Ｒ（０．２５０）、Ｒ（０．３７５）、Ｒ（０．５００）及びＲ（０）は、発光部１５２の幅ＷＬに対する絶縁層１４０の幅ＷＳの比ＷＳ／ＷＬがそれぞれ０．１２５（ＷＳ：２５μｍ）、０．２５０（ＷＳ：５０μｍ）、０．３７５（ＷＳ：７５μｍ）、０．５００（ＷＳ：１００μｍ）及び０（ＷＳ：ゼロ）であるときの輝度比Ｒである。
【００４３】
図７（ｂ）から図１６（ｂ）では、輝度比Ｒ（０．１２５）と輝度比Ｒ（０）の差ΔＲ（Ｒ（０．１２５）−Ｒ（０））、輝度比Ｒ（０．２５０）と輝度比Ｒ（０）の差ΔＲ（Ｒ（０．２５０）−Ｒ（０））、輝度比Ｒ（０．３７５）と輝度比Ｒ（０）の差ΔＲ（Ｒ（０．３７５）−Ｒ（０））及び輝度比Ｒ（０．５００）と輝度比Ｒ（０）の差ΔＲ（Ｒ（０．５００）−Ｒ（０））を算出している。
【００４４】
図７（ａ）から図９（ａ）において、輝度比Ｒは、角度φにつき０°においてほぼゼロをとり、角度φの増加につれて増加して極大値をとる。
【００４５】
図１０（ａ）から図１６（ａ）において、輝度比Ｒは、角度φにつき０°においてほぼゼロをとり、角度φの増加につれて増加して極大値をとり、（フェーズ１：図１７を用いて後述）角度φのさらなる増加につれて減少して極小値をとる（フェーズ２：図１８を用いて後述）。
【００４６】
図７（ｂ）から図１６（ｂ）において、輝度比Ｒ（０．１２５）と輝度比Ｒ（０）の差ΔＲ（Ｒ（０．１２５）−Ｒ（０））、輝度比Ｒ（０．２５０）と輝度比Ｒ（０）の差ΔＲ（Ｒ（０．２５０）−Ｒ（０））、輝度比Ｒ（０．３７５）と輝度比Ｒ（０）の差ΔＲ（Ｒ（０．３７５）−Ｒ（０））及び輝度比Ｒ（０．５００）と輝度比Ｒ（０）の差ΔＲ（Ｒ（０．５００）−Ｒ（０））は、フェーズ１（フェーズ１：図１７を用いて後述）において、一つ目の極小値をとり、フェーズ２（フェーズ２：図１８を用いて後述）において、二つ目の極小値をとる。たとえば、図１１（ａ）では、輝度比Ｒ（０．１２５）、Ｒ（０．２５０）、Ｒ（０．３７５）、Ｒ（０．５００）及びＲ（０）は、角度φにつき３０°において極大値をとり、角度φにつき６０°において極小値をとり、差ΔＲは、いずれの場合も極小値をとる。
【００４７】
図１７は、図７から図１６に示したフェーズ１を説明するための図である。図１７に示すように、フェーズ１においては、発光部１５２から発せられた光は、基板１００を透過して基板１００の第２面１０４でフレネル反射によって反射され、隣り合う発光部１５２の間で基板１００の第１面１０２から出射される。したがって、フェーズ１において、輝度比Ｒは、極大値をとるようになる。さらに、差ΔＲは、極小値をとるようになる。
【００４８】
図１８は、図１０から図１６に示したフェーズ２を説明するための図である。図１８に示すように、フェーズ２においては、発光部１５２から発せられた光は、基板１００を透過して基板１００の第２面１０４でフレネル反射によって反射され、隣の発光部１５２の絶縁層１４０によって遮られる。したがって、フェーズ２において、輝度比Ｒは、極小値をとるようになる。さらに、差ΔＲは、極小値をとるようになる。
【００４９】
本発明者は、図７から図１６までの結果から、以下の知見を見出した。
【００５０】
（第１の知見）
本発明者は、各絶縁層１４０の外側端部が、各第２電極１３０の外側端部よりも、各発光部１５２から離れているとき、発光装置１０の発光面（基板１００の第２面１０４）の反対側へ漏れる光の量をよく抑えることができることを見出した。
【００５１】
図７から図１６において、輝度比Ｒ（０．１２５）（輝度比Ｒ（０．１２５）において、各絶縁層１４０の外側端部は、各第２電極１３０の外側端部に揃っている。）の分布は、角度φにつきおおよそ６０°から９０°までの範囲を除いて、輝度比Ｒ（０）の分布とほぼ一致している。これに対して、輝度比Ｒ（０．２５０）、輝度比Ｒ（０．３７５）及び輝度比Ｒ（０．５００）（輝度比Ｒ（０．２５０）、輝度比Ｒ（０．３７５）及び輝度比Ｒ（０．５００）において、各絶縁層１４０の外側端部は、各第２電極１３０の外側端部よりも、各発光部１５２から離れている。）は、角度φにつきほぼ全範囲において、輝度比Ｒ（０）より小さくなっている。
【００５２】
この結果は、各絶縁層１４０の外側端部が、各第２電極１３０の外側端部よりも、各発光部１５２から離れているとき、発光装置１０の発光面（基板１００の第２面１０４）の反対側へ漏れる光の量をよく抑えることができることを示唆する。
【００５３】
（第２の知見）
本発明者は、各発光部１５２の端部から各絶縁層１４０の外側端部までの各絶縁層１４０の幅が各発光部１５２の幅の２５％以上であるとき、発光装置１０の発光面（基板１００の第２面１０４）の反対側へ漏れる光の量をよく抑えることができることを見出した。
【００５４】
図７から図１６において、輝度比Ｒ（０．１２５）（Ｒ（０．１２５）において、各発光部１５２の端部から各絶縁層１４０の外側端部までの各絶縁層１４０の幅は、各発光部１５２の幅の１２．５％である。）の分布は、角度φにつきおおよそ６０°から９０°までの範囲を除いて、輝度比Ｒ（０）の分布とほぼ一致している。これに対して、輝度比Ｒ（０．２５０）（輝度比Ｒ（０．２５０）において、各発光部１５２の端部から各絶縁層１４０の外側端部までの各絶縁層１４０の幅は、各発光部１５２の幅の２５％である。）、輝度比Ｒ（０．３７５）及び輝度比Ｒ（０．５００）は、角度φにつきほぼ全範囲において、輝度比Ｒ（０）より小さくなっている。
【００５５】
この結果は、各発光部１５２の端部から各絶縁層１４０の外側端部までの各絶縁層１４０の幅が各発光部１５２の幅の２５％以上であるとき、発光装置１０の発光面（基板１００の第２面１０４）の反対側へ漏れる光の量をよく抑えることができることを示唆する。
【００５６】
（第３の知見）
本発明者は、各発光部１５２の端部から各絶縁層１４０の外側端部までの各絶縁層１４０の幅が各発光部１５２の幅の５０％以上であるとき、発光装置１０の発光面（基板１００の第２面１０４）の反対側、特に基板１００の第１面１０２に垂直な方向及びその周辺の方向へ漏れる光の量をよく抑えることができることを見出した。
【００５７】
図７から図１６のいずれにおいても、輝度比Ｒ（０．５００）（輝度比Ｒ（０．５００）において、各発光部１５２の端部から各絶縁層１４０の外側端部までの各絶縁層１４０の幅は、各発光部１５２の幅の５０％である。）は、角度φにつき０°以上５°以下の範囲において、１％以下となっている。つまり、第１面１０２側における発光装置１０の輝度分布の輝度は、第１面１０２に垂直な方向から５°以下の範囲において小さな値に抑えられている。
【００５８】
この結果は、各発光部１５２の端部から各絶縁層１４０の外側端部までの各絶縁層１４０の幅が各発光部１５２の幅の５０％以上であるとき、発光装置１０の発光面（基板１００の第２面１０４）の反対側、特に基板１００の第１面１０２に垂直な方向及びその周辺の方向へ漏れる光の量をよく抑えることができることを示唆する。
【００５９】
このような特性は、第１面１０２の真正面及びその周囲から発光装置１０が見られる機会が多い場合（例えば、発光装置１０が自動車（移動体）のハイマウントストップランプに用いられる場合）、特に有効である。なお、発光装置１０が用いられる移動体は、自動車に限定されるものではなく、人が搭乗可能な物、例えば、列車、飛行機又は船舶であってもよい。特に移動体の窓ガラスに発光装置１０を取り付けることができる。発光装置１０は透光性を有しているため、発光装置１０を窓ガラスに取り付けても窓ガラス及び発光装置１０を隔てた向こう側が見えるようにすることができる。
【００６０】
（第４の知見）
本発明者は、各発光部１５２の端部から各絶縁層１４０の外側端部までの各絶縁層１４０の幅が、各発光部１５２の端部から各第２電極１３０の外側端部までの各第２電極１３０の幅の４倍以上であるとき、発光装置１０の発光面（基板１００の第２面１０４）の反対側、特に基板１００の第１面１０２に垂直な方向及びその周辺の方向へ漏れる光の量をよく抑えることができることを見出した。
【００６１】
図７から図１６のいずれにおいても、輝度比Ｒ（０．５００）（輝度比Ｒ（０．５００）において、各発光部１５２の端部から各絶縁層１４０の外側端部までの各絶縁層１４０の幅は、各発光部１５２の端部から各第２電極１３０の外側端部までの各第２電極１３０の幅の４倍である。）は、角度φにつき０°以上５°以下の範囲において、１％以下となっている。つまり、第１面１０２側における発光装置１０の輝度分布の輝度は、第１面１０２に垂直な方向から５°以下の範囲において小さな値に抑えられている。
【００６２】
この結果は、各発光部１５２の端部から各絶縁層１４０の外側端部までの各絶縁層１４０の幅が、各発光部１５２の端部から各第２電極１３０の外側端部までの各第２電極１３０の幅の４倍以上であるとき、発光装置１０の発光面（基板１００の第２面１０４）の反対側、特に基板１００の第１面１０２に垂直な方向及びその周辺の方向へ漏れる光の量をよく抑えることができることを示唆する。
【００６３】
このような特性は、第１面１０２の真正面及びその周囲から発光装置１０が見られる機会が多い場合（例えば、発光装置１０が自動車のハイマウントストップランプに用いられる場合）、特に有効である。
【００６４】
以上、本実施形態によれば、発光装置１０の発光面（基板１００の第２面１０４）の反対側へ漏れる光の量を抑えることができる。
【００６５】
以上、図面を参照して実施形態及び実施例について述べたが、これらは本発明の例示であり、上記以外の様々な構成を採用することもできる。
【符号の説明】
【００６６】
１０  発光装置
１００  基板
１０２  第１面
１０４  第２面
１１０  第１電極
１１２  第１接続部
１１４  第１配線
１２０  有機層
１３０  第２電極
１３２  第２接続部
１３４  第２配線
１４０  絶縁層
１４２  開口
１５０  発光領域
１５２  発光部
１５４  透光部
【図１】
2018160320.tif 000003
【図２】
2018160320.tif 000004
【図３】
2018160320.tif 000005
【図４】
2018160320.tif 000006
【図５】
2018160320.tif 000007
【図６】
2018160320.tif 000008
【図７】
2018160320.tif 000009
【図８】
2018160320.tif 000010
【図９】
2018160320.tif 000011
【図１０】
2018160320.tif 000012
【図１１】
2018160320.tif 000013
【図１２】
2018160320.tif 000014
【図１３】
2018160320.tif 000015
【図１４】
2018160320.tif 000016
【図１５】
2018160320.tif 000017
【図１６】
2018160320.tif 000018
【図１７】
2018160320.tif 000019
【図１８】
2018160320.tif 000020